(57)【要約】【課題】  携帯型音楽プレーヤーや携帯電話は機種により出力レベルがそれぞれ異なっており、外付オーディオ装置で聞く場合には、携帯機器の機種に合わせて調整しなければならず面倒であった。また、携帯電話は音量を増幅しても音質が悪いという問題があった。【解決手段】  本発明は、携帯機器１２からの音声信号を増幅してスピーカ１３，１４より出力する携帯機器用音楽再生装置において、携帯機器接続用ケーブル１７の接続コネクタ１９からの状態信号により携帯機器１２の機種を判別する機種判別手段２１と、機種判別手段２１によって判別された携帯機器１２の機種に応じて音量／音質調整信号を出力する音量／音質調整手段２２と、音量／音質調整手段２２からの音量／音質調整信号により携帯機器１２から入力された音声信号の音量と音質を調整する音量／音質調整アンプ２０を備えた。これにより、音量の大きな高音質の音声再生ができる。【選択図】図１
2006310981.tif 000002
【特許請求の範囲】
【請求項１】
携帯機器から入力された音声信号を増幅してスピーカより出力する携帯機器用音楽再生装置において、
前記携帯機器の機種に対応した接続コネクタを有し、前記携帯機器からの前記音声信号を入力する携帯機器接続用ケーブルと、
接続された前記コネクタに基づき前記携帯機器の機種を判別する機種判別手段と、
前記機種判別手段によって判別された前記携帯機器の機種に応じて音量／音質を調整する音量／音質調整信号を出力する音量／音質調整手段と、
前記音量／音質調整手段からの前記音量／音質調整信号により前記携帯機器から入力された音声信号の音量、音質、或いは音量と音質を調整する音量／音質調整アンプ
を備えたことを特徴とする携帯機器用音楽再生装置。
【請求項２】
前記コネクタには前記音声信号を伝達する音声信号用接触部材の他に、切替スイッチにより選択的に接地される複数の機種判別用接触部材が備わり、
前記機種判別手段は、前記機種判別用接触部材の接地状態により前記携帯機器の機種を判別することを特徴とする請求項１に記載の携帯機器用音楽再生装置。
【請求項３】
前記コネクタ部には前記音声信号を伝達する音声信号用接触部材の他に、前記携帯機器接続用ケーブル側のコネクタにより選択的に接地用接触部材に接続されて接地された複数の機種判別用接触部材が備わり、
前記機種判別手段は、前記機種判別用接触部材の接地状態に基づき前記携帯機器の機種を判別することを特徴とする請求項１に記載の携帯機器用音楽再生装置。
【請求項４】
前記コネクタの音声信号用接触部材は直流遮断用容量を介して前記携帯機器接続用ケーブルの信号線と接続され、かつ他の直流遮断用容量を介して前記音量／音質調整アンプと接続されており、
前記音声信号用接触部材は抵抗を介して高電位にプルアップされると共に、接地抵抗が着脱可能に構成されており、
前記機種判別手段は、前記接地抵抗の着脱状態に応じて変わる前記機種判別用接触部材の電圧により前記携帯機器の機種を判別することを特徴とする請求項１に記載の携帯機器用音楽再生装置。
【請求項５】
前記コネクタの音声信号用接触部材は直流遮断用容量を介して前記携帯機器接続用ケーブルの信号線と接続され、かつ他の直流遮断用容量を介して前記音量／音質調整アンプと接続されており、
前記音声信号用接触部材は抵抗を介して高電位にプルアップされると共に、接地抵抗がスイッチを介して接地されるように構成されており、
前記機種判別手段は、前記スイッチのＯＮ／ＯＦＦ状態に応じて変わる前記機種判別用接触部材の電圧により前記携帯機器の機種を判別することを特徴とする請求項１に記載の携帯機器用音楽再生装置。
【請求項６】
前記音声信号を伝達する接触部材の他に、機種判別情報入力用接触部材と接地用接触部材を備えた前記機種判別用接触部材と、
一端が高電位にプルアップされ、他端が前記機種判別手段の入力と前記機種判別情報入力用接触部材に接続された第１の抵抗と、
前記携帯機器接続用ケーブル側のコネクタの前記機種判別情報入力用接触部材と接地用接触部材間に接続された第２の抵抗とを備え、
前記機種判別手段は、前記第１の抵抗と前記第２の抵抗により生じる前記機種判別情報入力用接触部材の電圧に基づき、前記携帯機器の機種を判別することを特徴とする請求項１に記載の携帯機器用音楽再生装置。
【請求項７】
前記コネクタには前記音声信号を伝達する接触部材の他に、切替スイッチにより選択的に短絡される複数の機種判別用接触部材が備わり、
前記機種判別手段は、前記機種判別用接触部材の短絡状態により前記携帯機器の機種を判別することを特徴とする請求項１に記載の携帯機器用音楽再生装置。
【請求項８】
前記コネクタの接続面から携帯機器用音楽再生装置側に突出する突起部を検知する検知手段を備え、
前記機種判別手段は、前記突起部を検知するにより前記携帯機器の機種を判別することを特徴とする請求項１に記載の携帯機器用音楽再生装置。
【請求項９】
前記音量／音質調整手段は、音量／音質設定手段と音量／音質設定メモリを備え、前記機種判別手段からの判別結果に応じて前記音量／音質設定メモリから音量と音質の設定データが前記音量／音質設定手段に設定され、
前記音量／音質調整アンプは、前記設定された音量と音質の設定データにより前記携帯機器から入力された音声信号の音量、音質、或いは音量と音質が調整されることを特徴とする請求項１乃至請求項８のいずれか一項に記載の携帯機器用音楽再生装置。
【請求項１０】
前記音量／音質調整アンプは、音声周波数帯域ごとに利得を制御する複数の利得制御手段を備え、
前記音量／音質調整手段からの前記音量／音質調整信号により前記携帯機器から入力された音声信号の音量、音質、或いは音量と音質が音声周波数帯域ごとに調整されることを特徴とする請求項１乃至請求項９のいずれか一項に記載の携帯機器用音楽再生装置。
【請求項１１】
携帯機器から入力された音声信号を増幅してスピーカより出力する携帯機器用音楽再生装置において、
前記携帯機器の機種に対応した接続コネクタを有し、前記携帯機器からの前記音声信号を入力する携帯機器接続用ケーブルと、
接続された前記コネクタに基づき前記携帯機器の機種を判別する機種判別手段と、
前記機種判別手段によって判別された前記携帯機器の機種に応じて音量を調整する音量調整信号を出力する音量調整手段と、
前記音量調整手段からの前記音量調整信号により前記携帯機器から入力された音声信号の音量を調整する音量調整アンプ
を備えたことを特徴とする携帯機器用音楽再生装置。
【請求項１２】
携帯機器から入力された音声信号を増幅してスピーカより出力する携帯機器用音楽再生装置において、
前記携帯機器の機種に対応した接続コネクタを有し、前記携帯機器からの前記音声信号を入力する携帯機器接続用ケーブルと、
接続された前記コネクタに基づき前記携帯機器の機種を判別する機種判別手段と、
前記機種判別手段によって判別された前記携帯機器の機種に応じて音質を調整する音質調整信号を出力する音質調整手段と、
前記音質調整手段からの前記音質調整信号により前記携帯機器から入力された音声信号の音質を調整する音質調整アンプ
を備えたことを特徴とする携帯機器用音楽再生装置。
【請求項１３】
前記機種判別手段は、入力された信号パターンと前記携帯機器の機種を対応させた参照テーブルを記憶しており、入力された信号パターンに応じて前記携帯機器の機種を判別することを特徴とする請求項１乃至請求項１２のいずれか一項に記載の携帯機器用音楽再生装置。
【請求項１４】
商用電源を受電し制御電源を生成する電源回路を備え、
前記電源回路は内部に制御電源として供給すると共に、前記携帯機器のバッテリーの充電用電源として前記携帯機器に供給することを特徴とする請求項１乃至請求項１３のいずれか一項に記載の携帯機器用音楽再生装置。
【請求項１５】
携帯機器から入力された音声信号を増幅してスピーカより出力する携帯機器用音楽再生装置において、
携帯機器接続用ケーブルのコネクタが接続され前記携帯機器からの音声信号を入力するコネクタ部と、
前記コネクタ部が前記携帯機器接続用ケーブルのコネクタに接続されたとき入力される信号に基づき前記携帯機器の機種を判別する機種判別手段と、
前記機種判別手段によって判別された前記携帯機器の機種に応じて音量／音質を調整する調整信号を出力する音量／音質調整手段と、
前記音量／音質調整手段からの調整信号により前記携帯機器から入力された音声信号の音量、音質、或いは音量と音質を調整する音量／音質調整アンプ
を備えたことを特徴とする携帯機器用音楽再生装置。
【発明の詳細な説明】
【技術分野】
【０００１】
本発明は、携帯機器用音楽再生装置に係り、特に出力レベルの異なる複数種類の携帯機器が接続可能で、どの携帯機器が接続されても、音量の大きい高音質な音声再生が実現できる携帯機器用音楽再生装置に関する。
【背景技術】
【０００２】
現在、携帯機器として携帯型音楽プレーヤーが普及している。携帯に便利なようにポケットサイズに小型化されているものが多い。また、これら携帯型音楽プレーヤーの出力仕様もいろいろで、小型の内蔵スピーカ、イヤホン、或いはヘッドホンで聞くようになっているものが多い。これら携帯型音楽プレーヤーは、記憶媒体を装着しあるいは外部機器から複数の音楽データを取り込んで記憶しこれらを任意に選択して再生できるようになっている。あるいはラジオ放送を受信し再生するものなどがある。
【０００３】
また、携帯電話においても、インターネット配信あるいは外部機器から複数の音楽データを取り込んで記憶することができるようになってきている。携帯電話でも、これら記憶した音楽データを上記携帯型音楽プレーヤーと同様に再生して楽しむことができる。
【０００４】
これら携帯型音楽プレーヤーや携帯電話を外出時に携帯して音楽を聴く場合には、上記小型の内蔵スピーカ、イヤホン、或いはヘッドホンで聞くことになるが、家庭などで聞く場合には、音量を大きくして高音質で聞きたいという要求がある。
【０００５】
この要求を実現するため、特開２００３−１０１６１８号公報（特許文献１）や特開２００３−７９０６１号公報（特許文献２）で提案された従来技術がある。特開２００３−１０１６１８号公報に記載された従来技術は、携帯電話を使用して音楽を再生するもので、携帯電話のバッテリーを充電する充電器にアンプとスピーカを内蔵させ、充電時に携帯電話からの音楽データを増幅し音量を大きくして再生できる。また、特開２００３−７９０６１号公報に記載された従来技術は、携帯オーディオ機器を使用して音楽を再生するもので、充電器にアンプが内蔵され、この充電器で増幅された音声データを該充電器に接続されたスピーカから出力し、音量を大きくして再生できる。
【特許文献１】特開２００３−１０１６１８号公報
【特許文献２】特開２００３−７９０６１号公報
【発明の開示】
【発明が解決しようとする課題】
【０００６】
ところで、上記携帯型音楽プレーヤーや携帯電話は機種により出力レベルがそれぞれ異なっており、上記従来技術おいて、外付けされたアンプやスピーカで聞く場合には、携帯機器の機種に合わせてアンプの増幅度を調整しなければならず面倒であった。また、携帯型音楽プレーヤーは音楽を聞くための性能が考慮されているため一般的に１２８ｋｂｐｓ以上で記録再生される場合が多いが、携帯電話の音楽データはこれよりビットレートが低く、音量を増幅しても音質が悪いという問題があった。
【０００７】
本発明の目的は、携帯型音楽プレーヤーや携帯電話の音楽データを外付けのアンプで増幅し外付けのスピーカで音響を出力する場合に、どのような携帯機器が接続されても、接続される携帯機器に合わせていちいちアンプの増幅度を調整する必要がなく、また、携帯電話のように低音質の音楽データを再生する場合であっても、音量の大きい高音質な音声再生が実現できる携帯機器用音楽再生装置を提供することにある。
【課題を解決するための手段】
【０００８】
本発明の請求項１に係る発明の要旨は、携帯機器から入力された音声信号を増幅してスピーカより出力する携帯機器用音楽再生装置において、前記携帯機器の機種に対応した接続コネクタを有し、前記携帯機器からの前記音声信号を入力する携帯機器接続用ケーブルと、接続された前記コネクタに基づき前記携帯機器の機種を判別する機種判別手段と、前記機種判別手段によって判別された前記携帯機器の機種に応じて音量／音質を調整する音量／音質調整信号を出力する音量／音質調整手段と、前記音量／音質調整手段からの前記音量／音質調整信号により前記携帯機器から入力された音声信号の音量、音質、或いは音量と音質を調整する音量／音質調整アンプを備えたことを特徴とする携帯機器用音楽再生装置に存する。
また、本発明の請求項２に係る発明の要旨は、前記コネクタには前記音声信号を伝達する音声信号用接触部材の他に、切替スイッチにより選択的に接地される複数の機種判別用接触部材が備わり、前記機種判別手段は、前記機種判別用接触部材の接地状態により前記携帯機器の機種を判別することを特徴とする請求項１に記載の携帯機器用音楽再生装置に存する。
また、本発明の請求項３に係る発明の要旨は、前記コネクタ部には前記音声信号を伝達する音声信号用接触部材の他に、前記携帯機器接続用ケーブル側のコネクタにより選択的に接地用接触部材に接続されて接地された複数の機種判別用接触部材が備わり、前記機種判別手段は、前記機種判別用接触部材の接地状態に基づき前記携帯機器の機種を判別することを特徴とする請求項１に記載の携帯機器用音楽再生装置に存する。
また、本発明の請求項４に係る発明の要旨は、前記コネクタの音声信号用接触部材は直流遮断用容量を介して前記携帯機器接続用ケーブルの信号線と接続され、かつ他の直流遮断用容量を介して前記音量／音質調整アンプと接続されており、前記音声信号用接触部材は抵抗を介して高電位にプルアップされると共に、接地抵抗が着脱可能に構成されており、前記機種判別手段は、前記接地抵抗の着脱状態に応じて変わる前記機種判別用接触部材の電圧により前記携帯機器の機種を判別することを特徴とする請求項１に記載の携帯機器用音楽再生装置に存する。
また、本発明の請求項５に係る発明の要旨は、前記コネクタの音声信号用接触部材は直流遮断用容量を介して前記携帯機器接続用ケーブルの信号線と接続され、かつ他の直流遮断用容量を介して前記音量／音質調整アンプと接続されており、前記音声信号用接触部材は抵抗を介して高電位にプルアップされると共に、接地抵抗がスイッチを介して接地されるように構成されており、前記機種判別手段は、前記スイッチのＯＮ／ＯＦＦ状態に応じて変わる前記機種判別用接触部材の電圧により前記携帯機器の機種を判別することを特徴とする請求項１に記載の携帯機器用音楽再生装置に存する。
また、本発明の請求項６に係る発明の要旨は、前記音声信号を伝達する接触部材の他に、機種判別情報入力用接触部材と接地用接触部材を備えた前記機種判別用接触部材と、一端が高電位にプルアップされ、他端が前記機種判別手段の入力と前記機種判別情報入力用接触部材に接続された第１の抵抗と、前記携帯機器接続用ケーブル側のコネクタの前記機種判別情報入力用接触部材と接地用接触部材間に接続された第２の抵抗とを備え、前記機種判別手段は、前記第１の抵抗と前記第２の抵抗により生じる前記機種判別情報入力用接触部材の電圧に基づき、前記携帯機器の機種を判別することを特徴とする請求項１に記載の携帯機器用音楽再生装置に存する。
また、本発明の請求項７に係る発明の要旨は、前記コネクタには前記音声信号を伝達する接触部材の他に、切替スイッチにより選択的に短絡される複数の機種判別用接触部材が備わり、前記機種判別手段は、前記機種判別用接触部材の短絡状態により前記携帯機器の機種を判別することを特徴とする請求項１に記載の携帯機器用音楽再生装置に存する。
また、本発明の請求項８に係る発明の要旨は、前記コネクタの接続面から携帯機器用音楽再生装置側に突出する突起部を検知する検知手段を備え、前記機種判別手段は、前記突起部を検知するにより前記携帯機器の機種を判別することを特徴とする請求項１に記載の携帯機器用音楽再生装置に存する。
また、本発明の請求項９に係る発明の要旨は、前記音量／音質調整手段は、音量／音質設定手段と音量／音質設定メモリを備え、前記機種判別手段からの判別結果に応じて前記音量／音質設定メモリから音量と音質の設定データが前記音量／音質設定手段に設定され、前記音量／音質調整アンプは、前記設定された音量と音質の設定データにより前記携帯機器から入力された音声信号の音量、音質、或いは音量と音質が調整されることを特徴とする請求項１乃至請求項８のいずれか一項に記載の携帯機器用音楽再生装置に存する。
また、本発明の請求項１０に係る発明の要旨は、前記音量／音質調整アンプは、音声周波数帯域ごとに利得を制御する複数の利得制御手段を備え、前記音量／音質調整手段からの前記音量／音質調整信号により前記携帯機器から入力された音声信号の音量、音質、或いは音量と音質が音声周波数帯域ごとに調整されることを特徴とする請求項１乃至請求項９のいずれか一項に記載の携帯機器用音楽再生装置に存する。
また、本発明の請求項１１に係る発明の要旨は、携帯機器から入力された音声信号を増幅してスピーカより出力する携帯機器用音楽再生装置において、前記携帯機器の機種に対応した接続コネクタを有し、前記携帯機器からの前記音声信号を入力する携帯機器接続用ケーブルと、接続された前記コネクタに基づき前記携帯機器の機種を判別する機種判別手段と、前記機種判別手段によって判別された前記携帯機器の機種に応じて音量を調整する音量調整信号を出力する音量調整手段と、前記音量調整手段からの前記音量調整信号により前記携帯機器から入力された音声信号の音量を調整する音量調整アンプを備えたことを特徴とする携帯機器用音楽再生装置に存する。
また、本発明の請求項１２に係る発明の要旨は、携帯機器から入力された音声信号を増幅してスピーカより出力する携帯機器用音楽再生装置において、前記携帯機器の機種に対応した接続コネクタを有し、前記携帯機器からの前記音声信号を入力する携帯機器接続用ケーブルと、接続された前記コネクタに基づき前記携帯機器の機種を判別する機種判別手段と、前記機種判別手段によって判別された前記携帯機器の機種に応じて音質を調整する音質調整信号を出力する音質調整手段と、前記音質調整手段からの前記音質調整信号により前記携帯機器から入力された音声信号の音質を調整する音質調整アンプを備えたことを特徴とする携帯機器用音楽再生装置に存する。
また、本発明の請求項１３に係る発明の要旨は、前記機種判別手段は、入力された信号パターンと前記携帯機器の機種を対応させた参照テーブルを記憶しており、入力された信号パターンに応じて前記携帯機器の機種を判別することを特徴とする請求項１乃至請求項１２のいずれか一項に記載の携帯機器用音楽再生装置に存する。
また、本発明の請求項１４に係る発明の要旨は、商用電源を受電し制御電源を生成する電源回路を備え、前記電源回路は内部に制御電源として供給すると共に、前記携帯機器のバッテリーの充電用電源として前記携帯機器に供給することを特徴とする請求項１乃至請求項１３のいずれか一項に記載の携帯機器用音楽再生装置に存する。
また、本発明の請求項１５に係る発明の要旨は、携帯機器から入力された音声信号を増幅してスピーカより出力する携帯機器用音楽再生装置において、携帯機器接続用ケーブルのコネクタが接続され前記携帯機器からの音声信号を入力するコネクタ部と、前記コネクタ部が前記携帯機器接続用ケーブルのコネクタに接続されたとき入力される信号に基づき前記携帯機器の機種を判別する機種判別手段と、前記機種判別手段によって判別された前記携帯機器の機種に応じて音量／音質を調整する調整信号を出力する音量／音質調整手段と、前記音量／音質調整手段からの調整信号により前記携帯機器から入力された音声信号の音量、音質、或いは音量と音質を調整する音量／音質調整アンプを備えたことを特徴とする携帯機器用音楽再生装置に存する。
【発明の効果】
【０００９】
本発明によれば、携帯型音楽プレーヤーや携帯電話の音楽データを外付けのアンプで増幅し外付けのスピーカで音響を出力する場合に、どのような携帯機器が接続されても、接続される携帯機器に合わせていちいちアンプの増幅度を調整する必要がなく、また、携帯電話のように低音質の音楽データを再生する場合であっても、音量の大きい高音質な音声再生が実現できる。
【発明を実施するための最良の形態】
【００１０】
次に、本発明を実施するための最良の形態を、図面を参照して具体的に説明する。
【００１１】
（第１の実施の形態）
図１は本発明の第１の実施の形態による携帯機器用音楽再生装置の構成を示したものである。図１において、１１はコンポなどと呼ばれている据え置き型のオーディオ機器（以下コンポという）である。１２は携帯型音楽プレーヤーや携帯電話などの携帯機器である。１３、１４はコンポ１１の音声出力として接続されたスピーカで、１３はＬ（左）用、１４はＲ（右）用として配置されたステレオ用スピーカである。
【００１２】
１５はコンポ１１とスピーカ１３、１４を接続するスピーカ接続用ケーブルである。１６はスピーカ接続用ケーブル１５をコンポ１１に接続するコネクタである。１７は携帯機器１２とコンポ１１を接続する携帯機器接続用ケーブルである。携帯機器接続用ケーブル１７には両端にコネクタ１８、１９を備えている。１８は携帯機器１２に接続するコネクタで、１９はコンポに接続するコネクタである。また、携帯機器１２とコンポ１１は両端にコネクタ２６、２７を備えた携帯電源接続用ケーブル２５で接続されている。
【００１３】
コンポ１１は音量／音質調整アンプ２０、コンポ用のアンプ２８、機種判別手段２１、音量／音質調整手段２２、電源回路２３を備えている。なお、２０の音量／音質調整アンプにおける「音量／音質」の意味は、音量のみ、音質のみ、及び音量と音質の両方を意味する。すなわち、音量／音質調整アンプは、音量のみ調節する調節アンプ、音質のみ調節する調節アンプ、音量と音質を同時に調節する調節アンプのいずれかを示す。以下の音量／音質調整手段２２、音量／音質設定手段６２、音量／音質設定メモリ６３における「音量／音質」の意味も同様である。本発明において「音量／音質」の記載は、音量のみ、音質のみ、及び音量と音質の両方を意味するものとする。
【００１４】
機種判別手段２１はコネクタ１９から信号を取り込み、機種判別結果を音量／音質調整手段２２に出力する。音量／音質調整手段２２は機種判別手段２１の機種判別結果に基づき音量と音質の調整信号を音量／音質調整アンプ２０に出力する。音量／音質調整アンプ２０は音量／音質調整手段２２からの調整信号に基づき音量と音質を調整し、音量を大きくして高音質な音声信号を出力する。これによりスピーカ１３、１４からは、音量が大きく、しかも高音質な音声、音響が出力される。なお図示を省略しているが、コンポ用のアンプ２８には携帯機器１２からの音声信号以外にも他の音声信号が入力できるようになっている。
【００１５】
また、コンポ１１には電源回路２３が備わり、プラグ２４を商用電源のコンセントに差し込み電力を得るようになっている。電源回路２３はコンポ１１自身に電源を供給すると同時に携帯電源接続用ケーブル２５を通して携帯機器１２のバッテリーを充電するようになっている。
【００１６】
図２は、携帯機器接続用ケーブル１７のコネクタ１９の信号配置の詳細を示している。１００はコネクタの接続ピン（接触部材）の番号（１〜１０）を示している。１０１は各接続ピンに対応する信号内容を示している。
【００１７】
接続ピン１には音声信号Ｌが配置され、接続ピン２にはＬＧＮＤが配置され、接続ピン３には音声信号Ｒが配置され、接続ピン４にはＲＧＮＤが配置されている。音声信号ＬとＬＧＮＤはステレオ信号のＬ（左）側音声信号配線である。また、音声信号ＲとＲＧＮＤはステレオ信号のＲ（右）側音声信号配線である。接続ピン１の音声信号Ｌと接続ピン３の音声信号Ｒは音量／音質調整アンプ２０へ接続されている。接続ピン２のＬＧＮＤと接続ピン４のＲＧＮＤは接地（信号のアースラインＧに接続）されている。
【００１８】
また、コネクタ１９には切替スイッチ１０２が備わっている。コネクタ１９の接続ピン５〜１０（機種判別用接続ピン（機種判別用接触部材））はそれぞれ切替スイッチ１０２の切替接点１０３に接続されており、接続ピン４（ＲＧＮＤ）との間が手動で切り替えできるようになっている。したがって切替スイッチ１０２のセット状態によって接続ピン５〜１０のいずれかが接続ピン４を通して接地される。この接続ピン５〜１０からの接地状態を示す信号は機種判別手段２１に取り込まれる。
【００１９】
これにより、切替スイッチ１０２を接続ピン５〜１０のどの位置にセットしたかによって、どのような携帯機器接続用ケーブル１７が接続されているかが判別できることになる。そして、本実施の形態では、携帯機器１２の機種に合わせて携帯機器接続用ケーブル１７の切替スイッチ１０２の状態を切り替えて使用する。したがって、機種判別手段２１はどの機種の携帯機器が接続されているかを判別できるのである。
【００２０】
なお、切替スイッチ１０２は図２の場合、６機種の判別が可能であるが、切替スイッチ１０２をデジタル信号スイッチ（接続ピン５〜１０をそれぞれ１、０にセットできるようにしたもの）とすれば６ビットの情報が得られ、６４機種を判別可能である。
【００２１】
また、図２では切替スイッチ１０２を用いて接続ピン５〜１０を選択的に接地状態としているが、切替スイッチを用いずコネクタ部分で直接配線してもよい。この場合、機種判別のぶんだけ専用ケーブルを作成し、機種に応じたそれらケーブルは、接地の位置を変えて機種判別を行う。このようにすると、切替スイッチが不要となりケーブルを安価に作成できる。
【００２２】
図３は音量／音質調整を行う部分の更に詳細な構成を示したものである。音量／音質調整アンプ２０はアンプ利得制御手段６４、信号加算手段６５、ローパスフィルタ（以下ＬＰＦという）６６、バンドパスフィルタ（以下ＢＰＦ（１）〜（ｎ）という）６７〜６９、ハイパスフィルタ（以下ＨＰＦという）７０、利得制御手段（０）〜（ｎ＋１）７１〜７５からなる。また、音量／音質調整手段２２は音量／音質設定手段６２、音量／音質設定メモリ６３からなる。その他、図１と同じ符号のものは同じものを示す。
【００２３】
本実施の形態では、携帯機器に合わせて接続されるコネクタ１９の切替スイッチ１０２のセット状態が機種判別手段２１に取り込まれ、機種判別手段２１はコネクタ１９から入力される切替スイッチ１０２のセット状態により機種を判別するようになっている。
【００２４】
機種判別手段２１には、コネクタ１９から入力される信号パターンに対応して機種が特定できる参照テーブルが用意されており、特定された機種に応じて音量／音質設定メモリ６３の対応する設定値が呼び出される。呼び出された設定値は、音量／音質設定手段６２のレジスタに設定される。音量／音質設定メモリ６３には各機種に対応して、高音質となるような設定値が予め記憶されている。この設定値は、ユーザの好みに合わせて調整することができる。なお、上記参照テーブルの一例として、コネクタ１９から入力される信号パターンから、音量／音質設定メモリ６３に記憶された対応する設定値のメモリアドレス、及び音量／音質設定手段６２のレジスタのアドレスに変換する変換テーブルを挙げることができる。
【００２５】
図３に示したアンプ利得制御手段６４、信号加算手段６５、ＬＰＦ６６、ＢＰＦ（１）〜（ｎ）６７〜６９、ＨＰＦ７０、利得制御手段（０）〜（ｎ＋１）７１〜７５は、ユーザが自分の好みによって周波数帯域ごとに利得が調整できるイコライザを構成している。
【００２６】
図４は横軸を周波数、縦軸をレスポンスとして音質調整の一例を示したもので、利得制御手段（０）７１、利得制御手段（１）７２、利得制御手段（２）７３により調整する。図４は複数の特性曲線によって調整の様子を示してある。すなわち、利得制御手段（０）７１、利得制御手段（１）７２、利得制御手段（２）７３は、携帯機器の機種に合わせて高音質になるようにその利得が可変され、信号加算手段６５で加算される。なお、全体の音量はアンプ利得制御手段６４、またはアンプ２８により調節される。
【００２７】
図５は、携帯電話と携帯型音楽プレーヤーについて、図４のようにして調整した結果の周波数−レスポンス特性の一例を示している。このように、本実施の形態によれば、接続される携帯機器１２の機種に応じて周波数帯域ごとに利得を調整できるので、どのような携帯機器が接続されても、音量が大きく、しかも高音質の音楽を楽しむことができる。なお図５は一例であって、ユーザの好みによってその他の特性にあわせることができることは言うまでもない。
【００２８】
なお、機種判別手段２１、音量／音質設定手段６２、音量／音質設定メモリ６３、音量／音質調整アンプ２０の各種利得制御手段の制御は図示しないマイコンにより行われる。
【００２９】
（第２の実施の形態）
図６は本発明の第２の実施の形態による携帯機器用音楽再生装置の構成を示したものである。第１の実施の形態に対し本実施の形態は、携帯機器の機種判別の仕方が異なっている。
【００３０】
図６において、３１は携帯機器接続用ケーブルであり、携帯機器１２側にコネクタ３２、コンポ３０側にコネクタ３３を備えている。その他、図１と同符号のものは同じものを示している。そして、本実施の形態における携帯機器の機種判別は携帯機器接続用ケーブル３１から入力されるＬ信号、Ｒ信号のコネクタ３３における直流バイアス電圧のレベルにより判別するものである。
【００３１】
図７は携帯機器接続用ケーブル３１のコネクタ３３の信号配置の詳細を示している。１１０はコネクタ３３の接続ピン（信号接続用の接触部材）の番号（１〜４）を示している。１１１はコネクタ３３の各接続ピンに対応する信号内容を示している。コネクタ３３の接続ピン１には音声信号Ｌが配置され、接続ピン２にはＬＧＮＤが配置され、接続ピン３には音声信号Ｒが配置され、接続ピン４にはＲＧＮＤが配置されている。音声信号ＬとＬＧＮＤはステレオ信号のＬ（左）側音声信号配線である。また、音声信号ＲとＲＧＮＤはステレオ信号のＲ（右）側音声信号配線である。
【００３２】
携帯機器１２からの音声信号Ｌは、直流遮断用容量Ｃ１を介してコネクタ３３の接続ピン１に接続され、直流遮断用容量Ｃ３を介して音量／音質調整アンプ２０へ接続されている。また、携帯機器１２からの音声信号Ｒは、直流遮断用容量Ｃ２を介してコネクタ３３の接続ピン３に接続され、直流遮断用容量Ｃ４を介して音量／音質調整アンプ２０へ接続されている。また、コネクタ３３の接続ピン１と接続ピン３は機種判別手段３４に接続されている。
【００３３】
そして、抵抗Ｒ１の一端がコネクタ３３側で接続ピン１に接続され、他端がコネクタ３３側で接続ピン４に接続されている。また、抵抗Ｒ２の一端がコネクタ３３側で接続ピン３に接続され、他端がコネクタ３３側で接続ピン４に接続されている。また、抵抗Ｒ３の一端がコンポ３０側で接続ピン１に接続され（以下この接続点をＴＰ１という）、他端が電源Ｖｃｃにプルアップされている。また、抵抗Ｒ４の一端がコンポ３０側で接続ピン３に接続され（以下この接続点をＴＰ２という）、他端が電源Ｖｃｃにプルアップされている。なお、プルアップする電位は電源Ｖｃｃに限定はされず、所定の高電位部にプルアップしてもよい。
【００３４】
したがって、ＴＰ１、ＴＰ２には、抵抗Ｒ１とＲ３，Ｒ２とＲ４のそれぞれの分圧比で直流電圧が音声信号Ｒ、Ｌに重畳されるようになっている。また、ＴＰ１、ＴＰ２の部分は直流遮断用容量Ｃ１、Ｃ２、Ｃ３、Ｃ４により携帯機器側とコンポ側から直流的に分離されているので、抵抗Ｒ１〜Ｒ４でバイアスされた直流電圧が携帯機器１２や音量／音質調整アンプ２０に影響しないようになっている。
【００３５】
このような接続関係にあるとき、抵抗Ｒ１、Ｒ２のそれぞれを接続するか接続しないかによって、例えばＲ１＝Ｒ２＝Ｒ３＝Ｒ４とすれば、ＴＰ１、およびＴＰ２の電圧をＶｃｃ、Ｖｃｃ／２に変えることができる。このＴＰ１、ＴＰ２の電圧は機種判別手段３４に入力され、抵抗Ｒ１、Ｒ２のそれぞれを接続するか接続しないかによって、どのような携帯機器接続用ケーブル１７が接続されているかが判別できることになる。そして、本実施の形態では、携帯機器の機種に合わせて抵抗Ｒ１、Ｒ２の接続状態を変えて使用するので、機種判別手段３４はどの機種の携帯機器が接続されているかを判別できるのである。なお、抵抗Ｒ１〜Ｒ４の値が等しい場合には４機種の判別が可能であるが、抵抗値を変えることにより更に多機種を判別可能である。
【００３６】
本実施の形態も第１の実施の形態と同様、機種判別手段３４には入力される信号パターンに対応して機種が特定できる参照テーブルが用意されており、特定された機種に応じて、音量／音質調整手段２２、音量／音質調整アンプ２０を調整、設定することができる。
【００３７】
したがって、本実施の形態においても、接続される携帯機器１２の機種に応じて周波数帯域ごとに利得を調整できるので、音量が大きく、しかも高音質の音楽を楽しむことができる。
【００３８】
（第３の実施の形態）
図８は本発明の第３の実施の形態による携帯機器用音楽再生装置の構成を示したものである。第１の実施の形態、及び第２の実施の形態に対し本実施の形態は、携帯機器の機種判別の仕方が異なっている。
【００３９】
図８において、４１は携帯機器接続用ケーブルであり、携帯機器１２側にコネクタ４２、コンポ４０側にコネクタ４３を備えている。そして、本実施の形態における携帯機器の機種判別はコネクタ４３の任意の２つの接続ピン（接触部材）を短絡させ、この短絡状態を判別するものである。その他、図１と同符号のものは同じものを示している。
【００４０】
図９は携帯機器接続用ケーブル４１のコネクタ４３の信号配置の詳細を示している。１２０はコネクタ４３の接続ピン（接触部材）の番号（１〜１０）を示している。１２１はコネクタ４３の各接続ピンに対応する信号内容を示している。コネクタ４３の接続ピン１には音声信号Ｌが配置され、接続ピン２にはＬＧＮＤが配置され、接続ピン３には音声信号Ｒが配置され、接続ピン４にはＲＧＮＤが配置されている。音声信号ＬとＬＧＮＤはステレオ信号のＬ（左）側音声信号配線である。また、音声信号ＲとＲＧＮＤはステレオ信号のＲ（右）側音声信号配線である。
【００４１】
携帯機器１２からの音声信号Ｌはコネクタ４３の接続ピン１に接続され、音量／音質調整アンプ２０へ接続されている。また、携帯機器１２からの音声信号Ｒは、コネクタ４３の接続ピン３に接続され、音量／音質調整アンプ２０へ接続されている。接続ピン２のＬＧＮＤと接続ピン４のＲＧＮＤは接地（信号のアースラインＧに接続）されている。
【００４２】
また、コネクタ４３には切替スイッチ１２２が備わっている。コネクタ４３の接続ピン５〜９（機種判別用接続ピン（機種判別用接触部材））はそれぞれ切替スイッチ１２２の切替接点１２３に接続されており、接続ピン１０との間が短絡されるように手動で切り替えできるようになっている。したがって切替スイッチ１２２のセット状態によって接続ピン５〜９のいずれかが接続ピン１０と短絡される。この接続ピン５〜９と接続ピン１０間の短絡状態を示す信号は機種判別手段４４に取り込まれる。
【００４３】
これにより、切替スイッチ１２２を接続ピン５〜９のどの位置にセットしたかによって、どのような携帯機器接続用ケーブル４１が接続されているかが判別できることになる。そして、本実施の形態では、携帯機器１２の機種に合わせて携帯機器接続用ケーブル４１の切替スイッチ１２２の状態を切り替えて使用する。したがって、機種判別手段４４はどの機種の携帯機器が接続されているかを判別できるのである。なお、切替スイッチ１２２は図９の場合、５機種の判別が可能である。
【００４４】
本実施の形態も第１の実施の形態、第２の実施の形態と同様、機種判別手段４４には入力される信号パターンに対応して機種が特定できる参照テーブルが用意されており、特定された機種に応じて、音量／音質調整手段２２、音量／音質調整アンプ２０を調整、設定することができる。
【００４５】
したがって、本実施の形態においても、接続される携帯機器１２の機種に応じて周波数帯域ごとに利得を調整できるので、音量が大きく、しかも高音質の音楽を楽しむことができる。
【００４６】
（第４の実施の形態）
図１０は本発明の第４の実施の形態による携帯機器用音楽再生装置の構成を示したものである。また、図１１は携帯機器接続用ケーブル５１のコネクタ５３の信号配置の詳細を示している。５１は携帯機器接続用ケーブルであり、携帯機器１２側にコネクタ５２、コンポ５０側にコネクタ５３を備える。コネクタ５３には第２の実施の形態と同様、抵抗Ｒ１、Ｒ２、直流遮断用容量Ｃ１、Ｃ２が備わっており、その他、第２の実施の形態にはないスイッチ５４、５５が備わっている。その他、図１と同符号のものは同じものを示している。
【００４７】
本実施の形態は、携帯機器の機種判別の仕方が第２の実施の形態と同じであるが、抵抗Ｒ１、Ｒ２の接続の仕方が異なっている。すなわち、第２の実施の形態の実施の形態では抵抗Ｒ１、Ｒ２の接続状態の切り替えを、抵抗Ｒ１、Ｒ２を取り付けるか取り外すかによって行っているが、本実施の形態ではスイッチ５４、５５により行うようにしている。その他、動作も第２の実施の形態と同様なので、詳しい説明は省略する。
【００４８】
本実施の形態は、第２の実施の形態と比べると、抵抗Ｒ１、Ｒ２の取り付け取り外しが不要で、携帯機器１２の機種変更に対し取り扱いが容易となる効果がある。
【００４９】
本実施の形態においても、接続される携帯機器１２の機種に応じて周波数帯域ごとに利得を調整できるので、音量が大きく、しかも高音質の音楽を楽しむことができる。
【００５０】
（第５の実施の形態）
図１２は本発明の第５の実施の形態による携帯機器用音楽再生装置の構成を示したものである。本実施の形態は第２、第４の実施の形態に類似しているが、機種判別用の専用接続ピン（機種判別情報入力用接触部材）ＤＥＴを設けてここに直流を重畳している点、携帯機器１２の機種に対応して抵抗Ｒ５の値を変えている点、直流遮断用容量Ｃ１〜Ｃ４やスイッチ５４、５５を接続していない点で相違している。
【００５１】
図１２において、５８は携帯機器接続用ケーブルであり、携帯機器１２側にコネクタ５９、コンポ５７側にコネクタ６０を備えている。コンポ５７には機種判別手段６１と抵抗Ｒ６が備わる。その他、図１と同符号のものは同じものを示している。そして、本実施の形態は、携帯機器接続用ケーブル５８のコネクタ６０における接続ピン５（機種判別情報入力用接触部材ＤＥＴ）から入力される直流電圧のレベルにより携帯機器の機種を判別するものである。
【００５２】
図１３は携帯機器接続用ケーブル５８のコネクタ６０の信号配置の詳細を示している。１３０はコネクタ６０の接続ピン（接触部材）の番号（１〜６）を示している。１３１はコネクタ６０の各接続ピンに対応する信号内容を示している。コネクタ６０の接続ピン１には音声信号Ｌが配置され、接続ピン２にはＬＧＮＤが配置され、接続ピン３には音声信号Ｒが配置され、接続ピン４にはＲＧＮＤが配置されている。音声信号ＬとＬＧＮＤはステレオ信号のＬ（左）側音声信号配線である。また、音声信号ＲとＲＧＮＤはステレオ信号のＲ（右）側音声信号配線である。
【００５３】
携帯機器１２からの音声信号Ｌは、コネクタ６０の接続ピン１に接続され、音量／音質調整アンプ２０へ接続されている。また、携帯機器１２からの音声信号Ｒは、コネクタ６０の接続ピン３に接続され、音量／音質調整アンプ２０へ接続されている。
【００５４】
そして、抵抗Ｒ５の一端がコネクタ６０側で接続ピン５（ＤＥＴ）に接続され、他端がコネクタ６０側で接続ピン６（接地用接触部材）に接続されている。また、抵抗Ｒ６の一端が電源Ｖｃｃにプルアップされ、他端が専用端子機種判別用に専用に設けられた接続ピン５（ＤＥＴ）、及び機種判別手段６１に接続されている。なお、プルアップする電位は電源Ｖｃｃに限定はされず、所定の高電位部にプルアップしてもよい。したがって、抵抗Ｒ６に対するＲ５の抵抗比を変えれば、接続ピン５（ＤＥＴ）には、抵抗Ｒ５とＲ６の分圧比で直流電圧がかかるようになる。
【００５５】
この接続ピン５（ＤＥＴ）の電圧は機種判別手段６１に入力され、電圧の値によってどのような携帯機器接続用ケーブル５８が接続されているかが判別できることになる。そして、本実施の形態では、携帯機器の機種に合わせて抵抗Ｒ５、Ｒ６の分圧比を変えて（Ｒ６の抵抗値を固定し、Ｒ５の抵抗値を変える）使用するので、機種判別手段６１はどの機種の携帯機器が接続されているかを判別できるのである。抵抗Ｒ５、Ｒ６の分圧比を複数設定することにより複数種の判別が可能である。
【００５６】
本実施の形態も第１の実施の形態と同様、機種判別手段６１には入力される信号パターンに対応して機種が特定できる参照テーブルが用意されており、特定された機種に応じて、音量／音質調整手段２２、音量／音質調整アンプ２０を調整、設定することができる。
【００５７】
このように、本実施の形態によれば、信号ラインにコンデンサや抵抗を入れずにすむ利点がある。また、本実施の形態においても、接続される携帯機器１２の機種に応じて周波数帯域ごとに利得を調整できるので、音量が大きく、しかも高音質の音楽を楽しむことができる。
【００５８】
（第６の実施の形態）
図１４、図１５は本発明の第６の実施の形態による携帯機器用音楽再生装置の構成を示したものである。上記第１〜第４の実施の形態では、コンポに接続される携帯機器接続用ケーブルの信号状態を切り替えて、接続されている携帯機器１２の機種を判別しているが、本実施の形態では図１４、図１５に示されたようにコネクタに突起を付けたものと付けていないものを携帯機器１２の機種に合わせて用意し、この突起の有無を検出することにより機種を判別するようにしている。
【００５９】
図１４において、１２は携帯機器、８０は携帯機器接続用ケーブルを示している。図１２に示した携帯機器接続用ケーブル８０は、携帯機器１２側にコネクタ８１、コンポ側にコネクタ８２を備え、コネクタ８２には信号用接続ピン配置部８３と突起部８４を有している。
【００６０】
また、図１５において、１２は携帯機器、８５は携帯機器接続用ケーブルを示している。図１３に示した携帯機器接続用ケーブル８５は、携帯機器１２側にコネクタ８６、コンポ側にコネクタ８７を備え、コネクタ８７には信号用接続ピン配置部８８を有している。
【００６１】
図１４と図１５を比較すれば明らかなように、携帯機器接続用ケーブル８５のコネクタ８７には突起部８４に相当するものがない。携帯機器接続用ケーブル８０と携帯機器接続用ケーブル８５は、携帯機器１２の機種に合わせて使用される。
そして、コネクタ８２、８７に対応するコンポ側には、コネクタ８２が差し込まれたとき突起部８４を検知するスイッチが設けられている。
【００６２】
例えば携帯機器１２が携帯電話の場合は携帯機器接続用ケーブル８０を使用し、携帯機器１２が携帯型音楽プレーヤーの場合には携帯機器接続用ケーブル８５を使用する。このように携帯機器の機種に応じて携帯機器接続用ケーブルの突起部の有無が変わる。したがって、例えばコンポにコネクタ８２が差し込まれると、突起部８４に対応するスイッチでこの突起部８４を検知し、コンポに備わる機種判別手段は、接続された携帯機器１２が携帯電話であると判断することができる。
【００６３】
このように本実施の形態でも、上記第１〜第５の実施の形態と同様、接続された携帯機器１２の機種が特定でき、特定された機種に応じて、音量／音質調整手段２２、音量／音質調整アンプ２０を調整、設定することができる。
【００６４】
したがって、本実施の形態においても、接続される携帯機器１２の機種に応じて周波数帯域ごとに利得を調整できるので、音量が大きく、しかも高音質の音楽を楽しむことができる。
【００６５】
以上、第１〜第６の実施の形態によって本発明を具体的に説明したが、コンポ用の増幅用として備わるアンプ２８は、携帯機器１２の増幅用として備わる音量／音質調整アンプ２０と共用することもできる。また、携帯機器接続用ケーブルは４ピン、６ピン、１０ピンなどのコネクタの例を示したが、これに限定はされない。また、スピーカ１３、１４はコンポに内蔵されていてもよい。また、上記第１〜第６の実施の形態では携帯電源接続用ケーブル２５を使用する例を挙げたが、コネクタ２６は携帯機器をセットして充電できる充電台座としてよく、また携帯電源接続用ケーブル２５に代えて、携帯機器をセットして充電できる充電台座をコンポに備えるようにしてもよい。また、携帯機器接続用ケーブル１７、３１、４１、５１、５８、８０、８５は携帯電源接続用ケーブル２５と一体のケーブルとしてもよい。また、上記第１〜第６の実施の形態では音楽再生用の携帯機器１２を例として挙げたが、携帯機器が映像と音声の両方を再生できるものであれば、コンポを映像表示装置として実施することもできる。
【００６６】
また、本発明は上記実施の形態に限らず、本発明の要旨の範囲内で変更して実施できることは言うまでもない。
【産業上の利用可能性】
【００６７】
本発明は、携帯機器が映像と音声の両方を再生できるものであれば、オーディオ装置に限らず映像表示装置にも広く利用できる。
【図面の簡単な説明】
【００６８】
【図１】本発明の第１の実施形態における携帯機器用音楽再生装置の構成図である。
【図２】本発明の第１の実施形態における携帯機器接続用ケーブルのコネクタ部詳細を示した図である。
【図３】本発明の第１〜６の実施形態における音量／音質調整手段の詳細構成図である。
【図４】本発明の第１〜６の実施形態における音質調整を説明する図である。
【図５】本発明の第１〜６の実施形態における音質調整された特性の一例を示す図である。
【図６】本発明の第２の実施形態における携帯機器用音楽再生装置の構成図である。
【図７】本発明の第２の実施形態における携帯機器接続用ケーブルのコネクタ部詳細を示した図である。
【図８】本発明の第３の実施形態における携帯機器用音楽再生装置の構成図である。
【図９】本発明の第３の実施形態における携帯機器接続用ケーブルのコネクタ部詳細を示した図である。
【図１０】本発明の第４の実施形態における携帯機器用音楽再生装置の構成図である。
【図１１】本発明の第４の実施形態における携帯機器接続用ケーブルのコネクタ部詳細を示した図である。
【図１２】本発明の第５の実施形態における携帯機器用音楽再生装置の構成図である。
【図１３】本発明の第５の実施形態における携帯機器接続用ケーブルのコネクタ部詳細を示した図である。
【図１４】本発明の第６の実施形態における携帯機器接続用ケーブルを説明する図である。
【図１５】本発明の第６の実施形態における携帯機器接続用ケーブルを説明する図である。
【符号の説明】
【００６９】
１〜１０・・・接続ピン（接触部材）
１１、３０、４０、５０、５７・・・コンポ（据え置き型のオーディオ機器）
１２・・・携帯機器
１３、１４・・・スピーカ
１５・・・スピーカ接続用ケーブル
１７、３１、４１、５１、５８、８０、８５・・・携帯機器接続用ケーブル
１６、１８、３２、４２、５２、６０、８１、８６、２６、２７・・・コネクタ
１９、３３、４３、５３、８２、８７・・・コネクタ
２０・・・音量／音質調整アンプ
２１、３４、４４、５６、６１・・・機種判別手段
２２・・・音量／音質調整手段
２３・・・電源回路
２４・・・プラグ
２５・・・携帯電源接続用ケーブル
２８・・・アンプ
５４、５５・・・スイッチ
６２・・・音量／音質設定手段
６３・・・音量／音質設定メモリ
６４・・・アンプ利得制御手段
６５・・・信号加算手段
６６・・・ローパスフィルタ
６７〜６９・・・バンドパスフィルタ
７０・・・ハイパスフィルタ
７１〜７５・・・利得制御手段
８３、８８・・・信号用接続ピン配置部（信号用接触部材配置部）
８４・・・突起部
１００、１１０、１２０、１３０・・・接続ピン（接触部材）の番号
１０１、１１１、１２１、１３１・・・各接続ピン（接触部材）に対応する信号内容
１０２、１２２・・・切替スイッチ
１０３、１２３・・・切替接点
【図１】
2006310981.tif 000003
【図２】
2006310981.tif 000004
【図３】
2006310981.tif 000005
【図４】
2006310981.tif 000006
【図５】
2006310981.tif 000007
【図６】
2006310981.tif 000008
【図７】
2006310981.tif 000009
【図８】
2006310981.tif 000010
【図９】
2006310981.tif 000011
【図１０】
2006310981.tif 000012
【図１１】
2006310981.tif 000013
【図１２】
2006310981.tif 000014
【図１３】
2006310981.tif 000015
【図１４】
2006310981.tif 000016
【図１５】
2006310981.tif 000017